(57)【要約】【課題】複数の透過型スクリーンから１つを選択することにより、ユーザーの所望の構成を実現することができる投写型表示装置を提供すること。【解決手段】光透過性を有し、光指向性を有する背面層４１を背面側に備え、サイズの異なる複数のスクリーンと、投写光を投写可能なプロジェクタ７１と、プロジェクタ７１からの投写光をスクリーンの背面に導く投写レンズユニット２２およびミラー３１と、複数のスクリーンから選択される１つのスクリーン３２とプロジェクタ７１とを支持するフレーム６とを有し、投写レンズユニット２２およびミラー３１により導かれた投写光を背面側から透過させてスクリーン３２に画像を表示する投写型表示装置１であって、選択されたスクリーン３２とプロジェクタ７１と投写レンズユニット２２とミラー３１とフレーム６とを組み立てて用いることを特徴とする。【選択図】図２
2006003717.tif 000002
【特許請求の範囲】
【請求項１】
光透過性を有し、光指向性を有する背面層を背面側に備え、画像を表示し得る画像表示部の寸法の異なる複数の透過型スクリーンと、
投写光を投写可能な投写器本体と、
前記投写器本体からの投写光を前記透過型スクリーンの背面に導く光学ユニットと、
前記複数の透過型スクリーンから選択される１つの透過型スクリーンと前記投写器本体とを支持する支持手段とを有し、
前記光学ユニットにより導かれた投写光を前記背面側から透過させて前記透過型スクリーンに画像を表示する投写型表示装置であって、
前記複数の透過型スクリーンから１つを選択し、前記選択された透過型スクリーンと前記投写器本体と前記光学ユニットと前記支持手段とを組み立てて用いることを特徴とする投写型表示装置。
【請求項２】
前記各透過型スクリーンに対応する、複数種の前記光学ユニットを備え、前記組み立ての際に、前記複数種の光学ユニットのうちの１つが選択される請求項１に記載の投写型表示装置。
【請求項３】
前記各透過型スクリーンに対応する、複数種の前記投写器本体を備え、前記組み立ての際に、前記複数種の投写器本体のうちの１つが選択される請求項１または２に記載の投写型表示装置。
【請求項４】
前記光学ユニットは、ミラーを有し、該ミラーで反射した光が前記透過型スクリーンに投写される請求項１ないし３のいずれかに記載の投写型表示装置。
【請求項５】
前記ミラーは、前記支持手段により支持される請求項４に記載の投写型表示装置。
【請求項６】
前記ミラーの反射面は、平面である請求項４または５に記載の投写型表示装置。
【請求項７】
前記ミラーの反射面は、鉛直方向に対して略平行に設けられている請求項４ないし６のいずれかに記載の投写型表示装置。
【請求項８】
前記光学ユニットのうちの少なくとも一部は、前記投写器本体に設けられる請求項１ないし７のいずれかに記載の投写型表示装置。
【請求項９】
前記光学ユニットは、前記投写器本体に設けられ、
前記光学ユニットは光を屈折させる光学系を有し、該光学ユニットからの投写光が前記透過型スクリーンに投写される請求項１ないし３のいずれかに記載の投写型表示装置。
【請求項１０】
前記光学ユニットは、前記投写器本体に設けられ、
前記光学ユニットは、ミラーを有し、該ミラーで反射した光が前記透過型スクリーンに投写される請求項１ないし３のいずれかに記載の投写型表示装置。
【請求項１１】
前記光学ユニットは、前記スクリーンに表示する画像の画角を変更する変倍機構を備えるものである請求項１ないし１０のいずれかに記載の投写型表示装置。
【請求項１２】
前記投写器本体は、前記透過型スクリーンに対して所定角度傾斜して設けられている請求項の１ないし１１のいずれかに記載の投写型表示装置。
【請求項１３】
前記投写器本体は、少なくともその一部が前記透過型スクリーンの前記画像表示部の表面の延長上に設けられている請求項１２に記載の投写型表示装置。
【請求項１４】
前記複数の透過型スクリーンのうちの少なくとも１つは、可撓性を有し、
前記可撓性を有する透過型スクリーンの寸法を調節するスクリーン調節手段を有する請求項１ないし１３のいずれかに記載の投写型表示装置。
【請求項１５】
前記支持手段はフレーム状をなしており、前記透過型スクリーンと前記投写器本体と前記光学ユニットと前記支持手段とを組み立てた状態において、前記透過型スクリーンと前記投写器本体と前記光学ユニットとが外部に露出している請求項１ないし１４のいずれかに記載の投写型表示装置。
【請求項１６】
前記選択された透過型スクリーンに対して、所定角度傾斜した方向から前記投写光を投写し、前記傾斜した方向と、前記透過型スクリーンの光指向性を設定する方向とが略一致する請求項１ないし１５のいずれかに記載の投写型表示装置。
【請求項１７】
前記背面層の光の出射側に形成され、所定方向からの光を吸収する帯状の光吸収層を所定距離離間して並設し得る前面層を有する請求項１ないし１６のいずれかに記載の投写型表示装置。
【請求項１８】
前記背面層の光の出射側に形成され、複数の微小な凹凸が表示面側に設けられた前面層を有する請求項１ないし１６のいずれかに記載の投写型表示装置。
【発明の詳細な説明】
【技術分野】
【０００１】
本発明は、投写型表示装置に関するものである。
【背景技術】
【０００２】
光学系全体をキャビネットに納めた、いわゆるリア方式の投写型表示装置が知られている（例えば、実用新案文献１参照）。実用新案文献１に開示されたリア方式の投写型表示装置の構成を図１９に示す。図１９に示す投写型表示装置は、匡体と投写レンズより構成される投写器２００、折り曲げミラー２０１、透過型スクリーン２０２、キャビネット２０３を有している。そして、観察者は透過型スクリーン２０２に対して、投写器２００とは反対の方向から拡大画像を鑑賞する。
このリア方式の光学系はすべてキャビネット内に納まっているので、投写光が人間や家具によって遮られることがないことや、通常の室内照明下でもコントラスト劣化が小さいことや、また、比較的小さなキャビネットを壁際や部屋の隅に設置することにより、部屋の中央部のレイアウトの障害となることはない。
【０００３】
ところで、リア方式の装置で大画面を得るためには、投写距離を長くするか、投写レンズの画角を大きくする必要がある。しかし、前者には一般的にキャビネットが大型（特に奥行き）になって設置スペースが大きくなる問題があり、後者には投写レンズの広角化に対応するために、レンズ構成枚数が増加して高価格になるという問題があった。
また、投写器、折り曲げミラー、透過型スクリーンは、キャビネットに一体的に設けられているため、透過型スクリーンのみを他の透過型スクリーンに変更することができないという問題があった。
【特許文献１】実開平１−１１５７７８号公報
【発明の開示】
【発明が解決しようとする課題】
【０００４】
本発明の目的は、複数の透過型スクリーンから１つを選択することにより、ユーザーの所望の構成を実現することができる投写型表示装置を提供することにある。
【課題を解決するための手段】
【０００５】
このような目的は、下記の本発明により達成される。
本発明の投写型表示装置は、光透過性を有し、光指向性を有する背面層を背面側に備え、画像を表示し得る画像表示部の寸法の異なる複数の透過型スクリーンと、
投写光を投写可能な投写器本体と、
前記投写器本体からの投写光を前記透過型スクリーンの背面に導く光学ユニットと、
前記複数の透過型スクリーンから選択される１つの透過型スクリーンと前記投写器本体とを支持する支持手段とを有し、
前記光学ユニットにより導かれた投写光を前記背面側から透過させて前記透過型スクリーンに画像を表示する投写型表示装置であって、
前記複数の透過型スクリーンから１つを選択し、前記選択された透過型スクリーンと前記投写器本体と前記光学ユニットと前記支持手段とを組み立てて用いることを特徴とする。
【０００６】
状況に応じて透過型スクリーンを選択することにより、ユーザーの所望の構成を実現することができる投写型表示装置を提供することができる。
また、透過型スクリーンは光指向性を有しているため、投写光の方向以外の方向からの透過型スクリーンへの光の入射を制限することにより、コントラストの高いスクリーンを実現することができる。また、前記透過型スクリーンにより、光学系は、キャビネットがない外光にさらされる状態でもよく、装置全体の小型化、軽量化を図ることができる。
【０００７】
本発明の投写型表示装置では、前記各透過型スクリーンに対応する、複数種の前記光学ユニットを備え、前記組み立ての際に、前記複数種の光学ユニットのうちの１つが選択されることが好ましい。
これにより、より確実に、ユーザーの所望の構成を実現することができる投写型表示装置を提供することができる。
【０００８】
本発明の投写型表示装置では、前記各透過型スクリーンに対応する、複数種の前記投写器本体を備え、前記組み立ての際に、前記複数種の投写器本体のうちの１つが選択されることが好ましい。
これにより、さらに確実に、ユーザーの所望の構成を実現することができる投写型表示装置を提供することができる。
【０００９】
本発明の投写型表示装置では、前記光学ユニットは、ミラーを有し、該ミラーで反射した光が前記透過型スクリーンに投写されることが好ましい。
これにより、光学ユニットの構成を簡易なものとすることができる。
本発明の投写型表示装置では、前記ミラーは、前記支持手段により支持されることが好ましい。
これにより、透過型スクリーンと投写器とミラーとを一体的に支持することができる。
【００１０】
本発明の投写型表示装置では、前記ミラーの反射面は、平面であることが好ましい。
これにより、容易に、精度が高く低コストなミラーを得ることができる。
本発明の投写型表示装置では、前記ミラーの反射面は、鉛直方向に対して略平行に設けられていることが好ましい。
これにより、容易に、ミラーの変形を最小限に防止することができる。
【００１１】
本発明の投写型表示装置では、前記光学ユニットのうちの少なくとも一部は、前記投写器本体に設けられることが好ましい。
本発明の投写型表示装置では、前記光学ユニットは、前記投写器本体に設けられ、
前記光学ユニットは光を屈折させる光学系を有し、該光学ユニットからの投写光が前記透過型スクリーンに投写されることが好ましい。
これにより、容易に、装置全体の小型化、軽量化を図ることができる。
【００１２】
本発明の投写型表示装置では、前記光学ユニットは、前記投写器本体に設けられ、
前記光学ユニットは、ミラーを有し、該ミラーで反射した光が前記透過型スクリーンに投写されることが好ましい。
これにより、容易に、装置全体の小型化、軽量化を図ることができる。
本発明の投写型表示装置では、前記光学ユニットは、前記スクリーンに表示する画像の画角を変更する変倍機構を備えるものであることが好ましい。
これにより、画像を表示し得る画像表示部の寸法の異なる複数の透過型スクリーンおよび複数種の投写器に対応できる光学ユニットを得ることができる。
【００１３】
本発明の投写型表示装置では、前記投写器本体は、前記透過型スクリーンに対して所定角度傾斜して設けられていることが好ましい。
本発明の投写型表示装置では、前記投写器本体は、少なくともその一部が前記透過型スクリーンの前記画像表示部の表面の延長上に設けられていることが好ましい。
これにより装置全体の厚さを少なく抑えることができ、薄型の装置を提供することができる。
【００１４】
本発明の投写型表示装置では、前記複数の透過型スクリーンのうちの少なくとも１つは、可撓性を有し、
前記可撓性を有する透過型スクリーンの寸法を調節するスクリーン調節手段を有することが好ましい。
これにより、種々の派生品種を少なく抑えることができ、装置全体の軽量化、省スペース化、低コスト化を図ることができる。
【００１５】
本発明の投写型表示装置では、前記支持手段はフレーム状をなしており、前記透過型スクリーンと前記投写器本体と前記光学ユニットと前記支持手段とを組み立てた状態において、前記透過型スクリーンと前記投写器本体と前記光学ユニットとが外部に露出していることが好ましい。
これにより、装置全体の省スペース化、小型化、軽量化を図ることができる。
【００１６】
本発明の投写型表示装置では、前記選択された透過型スクリーンに対して、所定角度傾斜した方向から前記投写光を投写し、前記傾斜した方向と、前記透過型スクリーンの光指向性を設定する方向とが略一致することが好ましい。
これにより、投写器からの投写光を確実に透過型スクリーンに導くことができる。また、それ以外の方向からの光を好適に遮断することができ、投影される画像のコントラストを優れたものとすることができる。
【００１７】
本発明の投写型表示装置では、前記背面層の光の出射側に形成され、所定方向からの光を吸収する帯状の光吸収層を所定距離離間して並設し得る前面層を有することが好ましい。
これにより、所定方向からの光を吸収することができ、投影される画像のコントラストを優れたものとすることができる。
本発明の投写型表示装置では、前記背面層の光の出射側に形成され、複数の微小な凹凸が表示面側に設けられた前面層を有することが好ましい。
これにより、投影される画像のコントラストを優れたものとすることができる。
【００１８】
本発明の投写型表示装置では、前記背面層の光の出射側に形成された前面層を有することが好ましい。
本発明の投写型表示装置では、前記凹凸の凸部には、光を吸収する光吸収層が設けられることが好ましい。
これにより、表示面側からの光を吸収することができ、表示面のコントラストを優れたものとすることができる。
【００１９】
本発明の投写型表示装置では、前記凹凸の内側側面には、光を吸収する光吸収層が設けられることが好ましい。
これにより、凹凸の内側側面にて確実に光を吸収することができ、表示面のコントラストを優れたものとすることができる。
本発明の投写型表示装置では、前記凹凸の凹部には、光を拡散させる機能を有する光拡散部が設けられることが好ましい。
これにより、容易に光を拡散させることができ、視野角特性に優れる透過型スクリーンを備えた投写型表示装置を提供することができる。
本発明の投写型表示装置では、前記凹凸は、エンボス加工により形成したものであることが好ましい。
これにより、容易かつ確実に、前面層に微小な凹凸を形成することができる。
【００２０】
本発明の投写型表示装置では、前記背面層を透過した投写光の光軸の方向を変更する光軸変換層を有することが好ましい。
これにより、光利用効率に優れる透過型スクリーンを備えた投写型表示装置を提供することができる。
本発明の投写型表示装置では、前記光軸変換層により変換された光軸の方向は、前記表示面に対して略垂直であることが好ましい。
これにより、より光利用効率に優れる透過型スクリーンを備えた投写型表示装置を提供することができる。
本発明の投写型表示装置では、前記光軸変換層は、ホログラムで構成されていることが好ましい。
これにより、容易に光軸の方向を変更することができ、光利用効率に優れる透過型スクリーンを備えた投写型表示装置を提供することができる。
【００２１】
本発明の投写型表示装置では、前記背面層は、マイクロルーバーで構成されていることが好ましい。
これにより、容易かつ確実に所定角度傾斜した方向から投写された光を背面層に取り込むことができ、光利用効率に優れる透過型スクリーンを備えた投写型表示装置を提供することができる。
【００２２】
本発明の投写型表示装置では、前記光軸変換層は、マイクロプリズム、フレネルレンズまたは複数の光導波路で構成されていることが好ましい。
これにより、容易に光軸の方向を変更することができ、光利用効率に優れる透過型スクリーンを備えた投写型表示装置を提供することができる。
本発明の投写型表示装置では、前記背面層と前記光軸変換層とは、入口部を前記投写された光に向けて配置され、出口部を前記表示面側に向けて配置された複数の光導波路で構成されていることが好ましい。
これにより、透過型スクリーンの構造を簡易なものとすることができる。
【００２３】
本発明の投写型表示装置では、前記複数の光導波路の先端の位置が、不均一に設定され、これにより光を拡散させる機能を有する光拡散部が形成されていることが好ましい。
これにより、透過型スクリーンの構造をより簡易なものとすることができる。
本発明の投写型表示装置では、前記背面層を透過した光を拡散させる機能を有する光拡散部を有することが好ましい。
これにより、視野角特性に優れる透過型スクリーンを備えた投写型表示装置を提供することができる。
【発明を実施するための最良の形態】
【００２４】
[実施形態１]
以下、本発明の投写型表示装置を添付図面に示す好適実施形態に基づいて詳細に説明する。なお、この実施形態により本発明が限定されるものではない。また、以下に示す実施例の構成要素には、当業者が置換可能かつ容易なもの、或いは実質的同一のものが含まれる。
【００２５】
本発明の投写型表示装置は、ユーザー（観察者）の反対の方向（リア方向）から透過型スクリーンに対して、光を投写して画像を表示する方式（リア方式）を用いた装置である。
図１は、本発明の投写型表示装置の６つの構成例（組み立て例）を示す図（表）、図２は、本発明の投写型表示装置のユニットの構成１を示す斜視図、図３は、図２における投写型表示装置の使用状態を示す斜視図である。これらの図において、図２、図３は、投写する際の使用状態を示している。
【００２６】
この投写型表示装置１は、画像を表示し得る表示面（画像表示部）のサイズ（寸法）、すなわち対角表示領域が、それぞれ３２インチ、４８インチ、６４インチである３つのスクリーン（透過型スクリーン）３２、４８、６４と、可撓性スクリーン１００と、前記各スクリーン３２、４８、６４および可撓性スクリーン１００に、それぞれ対応し寸法の異なる３つのミラー３１、３３、３４と、同じく前記各スクリーン３２、４８、６４および可撓性スクリーン１００に、それぞれ対応する３つのプロジェクタ本体（投写器本体）２５、２６および２７と、投写レンズユニット２２と、ズームレンズユニット（図示せず）と、フレーム（支持手段）６、６０とを有している。
【００２７】
本実施形態の投写型表示装置１は、スクリーン３２、４８、６４および可撓性スクリーン１００のうちの１つのスクリーンと、ミラー３１、３３、３４のうちの１つのミラーと、プロジェクタ本体２５、２６、２７のうちの１つのプロジェクタ本体と、投写レンズユニット２２とズームレンズユニットとのうちの１つのレンズユニットと、フレーム６、６０のうちの１つのフレームとを組み立てて用いるものである。
【００２８】
投写レンズユニット２２とズームレンズユニットとのうちの１つのレンズユニットと、プロジェクタ本体２５とで本実施形態のプロジェクタ（投写器）７１が構成され、投写レンズユニット２２とズームレンズユニットとのうちの１つのレンズユニットと、プロジェクタ本体２６とで本実施形態のプロジェクタ７２が構成され、投写レンズユニット２２とズームレンズユニットとのうちの１つのレンズユニットと、プロジェクタ本体２７とで本実施形態のプロジェクタ７３が構成される。
【００２９】
スクリーン３２、４８、６４および可撓性スクリーン１００のうちの１つのスクリーンと、ミラー３１、３３、３４のうちの１つのミラーと、プロジェクタ７１、７２、７３のうちの１つのプロジェクタと、フレーム６、６０のうちの１つのフレームとが組み立てられて、１つのユニットを構成している。ユーザーは、スクリーン３２、４８、６４および可撓性スクリーン１００のうちの１つと、ミラー３１、３３、３４のうちの１つと、プロジェクタ７１、７２、７３のうちの１つと、フレーム６、６０のうちの１つとを適宜選択して、ユニット１０を組み立てて用いる。図１における構成１〜６は、そのユニット１０の構成例を示したものである。
【００３０】
以下構成１〜６を説明し、その際に、各スクリーン（可撓性スクリーン）、各光学ユニット、各プロジェクタ、各フレームの構成についても説明する。
＜構成１〜３＞
図２は、スクリーン３２と、プロジェクタ７１と、ミラー３１と、フレーム６とが選択され組み立てられてユニット１０を構成した状態を示している（図１における構成１）。
また、この組み立てられた状態において、スクリーン３２とプロジェクタ７１とミラー３１とは、外部に露出している。
投写レンズユニット２２は、投写レンズと、この投写レンズを支持する鏡筒とで構成されている。
【００３１】
次に、プロジェクタ本体２５、２６および２７について説明する。プロジェクタ本体２６および２７は、プロジェクタ本体２５と比べて、解像度が高く設定されている。一例として、プロジェクタ本体２５の解像度は５２５ｐ（ｐはすべての走査線を順番に走査するプログレッシブ走査であって、飛び越し走査より高品位であることを示す。）、プロジェクタ本体２６、２７の解像度は７５０ｐである。また、プロジェクタ本体２７は、プロジェクタ本体２５および２６と比べて、輝度が高く設定されている（照射光の輝度の高い光源を用いている）。これら３つのプロジェクタの構成は、解像度および輝度が異なる以外は、それらの形状や作用が略同一であるので、代表的に、プロジェクタ本体２５について説明する。
【００３２】
プロジェクタ本体２５は、内部に画像表示デバイスを有し、この画像表示デバイスにより表示画像にかかる投写光を投写する。また、このプロジェクタ本体２５の、投写光の出射部２１には、投写レンズユニット２２が、着脱可能に設けられており、プロジェクタ本体２５は、投写レンズユニット２２により投写光を表示画像の台形補正を行って拡大して投写する。また、プロジェクタ本体２５は、フレーム６に対して着脱自在（着脱可能）に設置されている。
【００３３】
また、投写レンズユニット２２の鏡筒のマウント（取り付け部）には、従来公知のバヨネット方式のものなどが好適に用いられる。他には、投写レンズユニット２２の鏡筒にネジを切ったスクリュー方式等、この投写レンズユニット２２をプロジェクタ本体２５からの光軸を中心にして回転可能に取り付けられる方式のものを用いてもよい。また、専用の投写レンズ固定具、連結具を用いてもよい。
【００３４】
次にミラー３１、３３および３４について説明するがこれらのミラー３１、３３、３４は、寸法が異なる以外は、それらの形状や作用が略同一であるため、代表的にミラー３１について説明する。
ミラー３１は、本実施形態では板状をなしており、その反射面が平面（非球面）である。このミラー３１は、後述するサブフレーム６２に対して着脱可能に装着（設置）されており、プロジェクタ本体２５の出射部２１の後段にスクリーン３２に対して略平行に（設置面に対して略垂直に）装着される。ミラー３１は、プロジェクタ７１（プロジェクタ本体２５）からの投写光を反射して（表示画像の下側にかかる投写光と上側にかかる投写光とを反射して）スクリーン３２の背面側に導く。これにより、正しい矩形の表示画像がスクリーン３２上に投影される。
投写レンズユニット２２とミラー３１とで本実施形態の光学ユニットの主要部が構成される。
【００３５】
フレーム６は、メインフレーム６１と、サブフレーム６２とで構成されており、プロジェクタ７１、７２、７３のうちの１つと、ミラー３１、３３、３４のうちの１つと、スクリーン３２、４８、６４のうちの１つとが、それぞれ選択されて設置されるベースである。ここで、メインフレーム６１は、プロジェクタ７１を着脱自在に保持できる支持構造を有する。かかるメインフレーム６１の支持構造には、例えば、（１）ガイド部を有するメインフレーム６１にプロジェクタ７１がスライド可能に挿入されて設置される構造や、（２）係止部を有するメインフレーム６１にプロジェクタ７１が係止されて設置される構造が含まれる（図示省略）。またメインフレーム６１は、スクリーン３２を着脱自在に保持できる支持構造を有する。かかるプロジェクタ７１およびスクリーン３２の支持構造は、それぞれ当業者自明の範囲内にて任意に選択できる。
【００３６】
メインフレーム６１は、着脱可能な設置台６６を有している。この設置台６６は、ユーザーが、スクリーン４８および６４とのうちのいずれか１つを選択して、ユニット１０を組み立てた場合において、その選択されたスクリーンに対応するプロジェクタをメインフレーム６１に設置するために用いられるものである。具体的には、プロジェクタ７２および７３のうちのいずれか１つが選択されて設置台６６に設置される。また、設置台６６は、プロジェクタ７１を着脱自在に保持できる支持構造を有する。この支持構造は、前述したメインフレーム６１のプロジェクタ７１を保持する支持構造と同様のものを用いることができる。
また、サブフレーム６２は、ミラー３１を着脱自在に保持し得る支持構造を有する。この、サブフレーム６２は、プロジェクタ本体２５に対して着脱自在に設けられている。
【００３７】
構成１のユニット１０において、使用時（投写光を投写する際）には、プロジェクタ７１およびスクリーン３２がメインフレーム６１により支持されており、ミラー３１がサブフレーム６２により支持されている（図２参照）。そして、プロジェクタ７１からの投写光がミラー３１にて反射されてスクリーン３２の背面に導かれ、スクリーン３２に背面側から投写される（図２参照）。この投写光がスクリーン３２を透過することにより、スクリーン３２の前面に表示画像が映し出され、ユーザーが映像を見ることができる（構成２、構成３のユニット１０も同様である）。
【００３８】
次にスクリーン３２、４８および６４について説明するがこれらのスクリーン３２、４８、６４は、前記表示面のサイズが異なる以外は、それらの形状や作用が略同一であるため、代表的にスクリーン３２について説明する。
図４は、図２における投写型表示装置のスクリーンを示す断面図、図５および図６は、図４に記載したスクリーンの構成要素を示す説明図である。これらの図では、図５が背面層４１の作用を示しており、図６が前面層４４の作用を示している。
【００３９】
スクリーン３２は、プロジェクタ７１からの投写光を受けて、その面上に表示画像を表示する。また、スクリーン３２は、投写する際には、背面側から投写された投写光を透過させて表示画像を表示する（透過型スクリーン）。以後、スクリーン３２の前面とは、ユーザーが表示画像を見る側の面を意味し、背面側とは、その逆側の面を意味する。
スクリーン３２は、背面層４１と、光軸変換層４２と、光拡散層４３と、前面層４４とをこの順に積層して構成される。このスクリーン３２は、背面に光指向性を有する層（背面層４１）を配置することにより、ミラー３１により導かれた投写光を主として透過させ、他の外光を反射あるいは吸収して排除する点に特徴を有する。
【００４０】
背面層４１は、光指向性を有するシート状部材もしくはフィルム状部材で構成され、スクリーン３２の背面を構成する。この背面層４１は、その光指向性により、特定の入射角にて入射した光を主として透過させ、他の入射角にて入射した光を反射あるいは吸収する（図４および図５参照）。また、背面層４１は、その光指向性が平面（地面）に対して所定角度にて傾斜するよう設定されている。
この背面層４１の光指向性を設定する角度（方向）と、プロジェクタ７１の投写光の投写方向（傾斜した方向）とは、略一致するのが好ましい。
【００４１】
本実施形態では、背面層４１は、スクリーン３２がフレーム６に設置された状態にて、光指向性を設定する方向をミラー３１側に向けて配置される。かかる背面層４１としては、特に限定されないが、例えば、マイクロルーバー等が好適に用いられる。
光軸変換層４２は、光軸変換特性を有するシート状もしくはフィルム状部材で構成され、背面層４１の前面側に積層される。この光軸変換層４２は、その光軸変換特性により、入射した光（投写光）の光軸を特定の方向に変換させる。かかる光軸変換層４２としては、特に限定されないが、例えば、ホログラムシート、マイクロプリズム、マイクロファイバー、フレネルレンズ等が好適に用いられる。
光拡散層４３は、光拡散特性を有するシート状もしくはフィルム状部材で構成され、背面層４１の前面側に積層される。この光拡散層４３は、その光拡散特性により、入射した光（投写光）を拡散させる。かかる光拡散層４３としては、特に限定されないが、例えば、レンチキュラー、拡散シート等が好適に用いられる。
【００４２】
前面層４４は、光指向性を有するシート状部材もしくはフィルム状部材で構成され、光拡散層４３の前面側に積層されて、スクリーン３２の表示面を構成する。この前面層４４は、その光指向性の設定方向がスクリーン３２の表示面に対して略垂直となるように配置される（図４および図６参照）。また、この前面層４４は、外光を吸収する機能を有する。これにより、スクリーン３２の表示面における外光の反射が抑制されて、表示画像の見易さが向上する。かかる前面層４４としては、特に限定されないが、例えば、マイクロルーバー等が好適に用いられる。前面層４４は、ブラックストライプという平面的な吸収層でもよい。
【００４３】
このスクリーン３２では、投写する際には、投写光がミラー３１により導かれて背面側から背面層４１に入射する（図４参照）。このとき、特定の角度で入射した光（主として投写光）以外の光（外光）は、背面層４１により反射あるいは吸収される。そして、投写光は、背面層４１を透過して光軸変換層４２に入射し、この光軸変換層４２にてスクリーン３２の平面に略垂直な方向に光軸を変換される。そして、投写光は、光拡散層４３に入射して拡散され、前面層４４の指向性に従った光が前面層４４を透過してスクリーン３２の前面側に出射する。これにより、スクリーン３２に表示画像が形成される。
【００４４】
次に、構成２および構成３におけるユニット１０について説明する。図７は、構成２を示す背面図、図８は、構成３を示す背面図である。なお以下では、説明の都合上、図７中の上側を「上」、下側を「下」、左側を「左」、右側を「右」と言い、図７中の上下間を「長さ」、左右間を「幅」と言う。
構成２および構成３に示すユニット１０は、構成１のユニット１０の他の例を示すものであり、スクリーンおよびプロジェクタが構成１とは異なっている。
図７に示すように、構成２のユニット１０は、スクリーン４８と、ミラー３３と、プロジェクタ７２とフレーム６とを有し、これらが組み立てられて用いられる。同様に図８に示すように、構成３のユニット１０は、スクリーン６４と、ミラー３４と、プロジェクタ７２とフレーム６とを有し、これらが組み立てられて用いられる。
【００４５】
以上説明したように、この投写型表示装置１によれば、希望するユニットの仕様（スクリーンの大きさ、スクリーンに表示する画像の画角、解像度等）を状況に応じてユーザーが選択し、それらを組み立てて用いることができる自由度の高い（テーラーメードな）投写型表示装置を提供することができる。
また、スクリーンに光学的に最も近いミラー３１の反射面を単純な平面ミラーとすることで、ミラー３１を精度よく低コストで製造できるので、高画質で低コストな投写型表示装置１を提供することができる。
【００４６】
また、ミラー３１を設置面に対して略垂直に支持することで、ミラー３１の強度が低くても（例えば、ミラー３１を極小の構造材で軽量に構成した場合等）、重力によるミラー３１の変形を最小限に抑えることができ、低コストな投写型表示装置１を提供することができる。
また、各スクリーン３２、４８、６４、ミラー３１、３３、３４と、プロジェクタ７１、７１、７２とが、それぞれフレーム６に対して着脱可能に構成されているので、例えば、搬送時などにそれぞれを分離して搬送できる。これによりユニット１０の搬送が容易となる。
【００４７】
また、スクリーン３２が光指向性を有する背面層４１を有し、使用時にて、この背面層４１がミラー３１からの投写光を透過させて外光を反射または吸収するので、表示画像のコントラストが向上する。これにより、従来の投写型表示装置のようなキャビネットが不要となり、さらに投写型表示装置１全体が小型化、軽量化されてユニット１０を狭いスペースにも容易に設置することができる。
【００４８】
このように、この投写型表示装置１では、装置の軽量化、コンパクト化、スリム化、スマート化、設置の容易化、環境負荷の低減などの数多くの利点がある。また、キャビネットの省略により装置の冷却効率が向上するので、排熱機構や冷却構造（例えば、冷却ファンやヒートシンク）を簡素化することができる。
また、本実施形態では、設置面に対して垂直にプロジェクタ７１を設置して投写光を上方へ投写し、ミラー３１で鈍角（９０°以上）に屈曲（反射による）させて、スクリーン３２の背面に投写しているが、プロジェクタ７１を設置する姿勢は、これに限定されない。すなわちプロジェクタ７１を例えば、設置面に対して平行に設置してもよい。この場合例えば、設置面に対して平行な方向に出射した投写光を、ミラー３１で鋭角（９０°以下）に屈曲（反射による）させてスクリーン３２に対して投写する。なお、前者の場合は、リア・プロジェクションでありながら、通常のフラットパネルディスプレイ（プラズマディスプレイ、直視型液晶ディスプレイ等）に近い薄さを実現できる。
【００４９】
＜構成４、構成５＞
次に、構成４および５について説明する。
以下、構成４および５のユニット１０について、前述した構成１〜３との相違点を中心に説明し、同様の事項については、その説明を省略する。
構成４および５のユニット１０は、それぞれ、構成１〜３と光学ユニットが異なっている。
【００５０】
構成４のユニット１０は、スクリーン４８と、プロジェクタ本体２６と、ミラー３３と、ズームレンズユニットと、フレーム６とが選択され組み立てられたものである。
構成４に示す光学ユニットは、ミラー３３と、スクリーン３２の画面サイズからスクリーン４８の画面サイズまでの全ての画面サイズに対応するズームレンズユニットとを有している。ズームレンズユニットは、スクリーン３２に表示する画像の画角を変更するために設けられており、複数のレンズ（レンズ群）と、これら複数のレンズを支持する鏡筒と、これら複数のレンズを駆動する手段とを備える機構、すなわちズーム機構（変倍機構）とを備えている。このズームレンズユニットは、一部のレンズ系（レンズ群）を駆動して（移動させて）焦点距離を変えて画角を変更すると共に、別のレンズ系（レンズ群）を駆動して、焦点位置を一定に保つ（焦点合わせを行う）。
【００５１】
構成５のユニット１０は、スクリーン６４と、プロジェクタ本体２７と、ミラー３４と、ズームレンズユニットと、フレーム６とが選択され組み立てられたものである。
構成５に示す光学ユニットは、ミラー３４と、スクリーン４８の画面サイズからスクリーン６４の画面サイズまでの全ての画面サイズに対応するズームレンズユニットとを有している。
構成５に示す光学ユニットのズームレンズユニットは、対応できる画面サイズが異なっている以外は、その構成や作用が、構成４に示す光学ユニットのズームレンズユニットと略同一であるのでその説明を省略する。
【００５２】
この構成４、構成５のユニット１０によれば、前述した構成１〜３のユニット１０と同様の効果が得られる。
そして、これらのユニット１０では、スクリーンのサイズを変更した際に、プロジェクタ本体２５、２６、２７および光学ユニットを変更する必要がないため、組み立て（組み替え）の手間を省くことができる。また、光学ユニットを共通化することによって、派生品種を少なく抑えることができる。また、例えば、構成４における光学ユニットは、用いるスクリーンが３２〜４８インチのものであれば、どのスクリーンに対しても対応することができるため、高い汎用性を有する。同様に、例えば、構成５における光学ユニットは、用いるスクリーンが４８〜６４インチのものであれば、どのスクリーンに対しても対応することができるため、高い汎用性を有する。
なお、前述したズームレンズユニットを駆動する駆動源は、ズームレンズユニット側に設けても良いし、プロジェクタ本体側に設けられてもよい。あるいは手動のメカニズムでもよい。
【００５３】
＜構成６＞
次に、構成６について説明する。
図９は、構成６を示す斜視図である。
以下、構成６のユニット１０について、前述した構成５のユニット１０との相違点を中心に説明し、同様の事項については、その説明を省略する。なお、本構成においては、光学ユニット、プロジェクタ本体、プロジェクタ本体を支持する部分の一部等については、図示を省略する。
構成６のユニット１０は、スクリーンおよびフレームが、構成５と異なっている。
【００５４】
図９に示すように、構成６のユニット１０は、フレーム６０が伸縮することで、スクリーンの幅方向のサイズの可変（調節）を実現するものである。
構成６のユニット１０のスクリーンは、可撓性を有する可撓性スクリーン１００で構成されている。可撓性スクリーン１００は、その幅方向のサイズを６４〜４８インチタイプのスクリーンの幅方向のサイズに可変可能であり、一方の端部が収納部６３３に設けられた芯材（図示せず）に固定されて、収納部６３３に巻き取られた状態で収納されている。この可撓性スクリーン１００は、収納部６３３から引き出されて展開することができるようになっており、組み立ての際に展開される。
可撓性スクリーン１００の機能は、前述したスクリーン３２、４８、６４の機能と略同一であるためその説明を省略する。
【００５５】
フレーム６０は、脚部６８、６９と、スクリーンフレーム６３、６５とを有している。
脚部６８、６９は、その接地面に例えば、図示しないローラー等の移動機構が設けられており、一方が他方に対して移動可能に設けられている。
スクリーンフレーム６３は、脚部６８の上側に固着されている。このスクリーンフレーム６３は、棒状の一対の係合部６３１と係合部６３２を２組有している。係合部６３１と係合部６３２とは、所定距離離間し、互いに平行に設けられている。また、前記一方の係合部６３１および６３２と他方の係合部６３１および６３２とは、互いに所定距離離間し、互いに平行に設けられている。
【００５６】
スクリーンフレーム６５は、脚部６９の上側に固着されている。このスクリーンフレーム６３は、棒状の一対の係合部６５１と係合部６５２を２組有している。係合部６５１と係合部６５２とは、所定距離離間し、互いに平行に設けられている。また、前記一方の係合部６５１および６５２と他方の係合部６５１および６５２とは、互いに所定距離離間し、互いに平行に設けられている。
【００５７】
また、スクリーンフレーム６３と、スクリーンフレーム６５とは、一方が他方に対して可撓性スクリーン１００の幅方向に移動可能に設けられている。このスクリーンフレーム６３および６５は、係合部６５１が係合部６３１と係合部６３２とに挟まれることによって、また、係合部６３２が、係合部６５１と係合部６５２とに挟まれることによって係合している。このような係合部６３１、６３２、６５１および６５２により、スクリーンフレーム６３、６５の移動の際に、そのスクリーンフレーム６３、６５の一方が他方にガイドされる。また、係合部６３１、６３２、６５１および６５２により、スクリーンフレーム６３、６５の一方に対する他方の可撓性スクリーン１００の厚み方向への移動が阻止される。
【００５８】
スクリーンフレーム６３の図９中左側の端部には、収納部６３３がスクリーンフレーム６３に対して着脱可能に設けられている。
そして、可撓性スクリーン１００の他方の端部がスクリーンフレーム６５に対して着脱可能に設けられている。
これにより、可撓性スクリーン１００は、収納部６３３とともにフレーム６０に対して着脱される。
フレーム６０の脚部６８、６９とスクリーンフレーム６３、６５とで本実施形態のスクリーン調節手段の主要部が構成される。
【００５９】
次に、可撓性スクリーン１００の幅方向のサイズを変更する際の動作（作用）について説明する。
まず、可撓性スクリーン１００の幅方向のサイズを６４インチサイズに対応するサイズから４８インチサイズに対応するサイズにする場合には、可撓性スクリーン１００の一部を巻き取り、収納部６３３に収納する。この巻き取りの際には、ユーザーが、スクリーンフレーム６３と６５とを互いに接近させる方向に移動させることにより、可撓性スクリーン１００が巻き取られる。巻き取られた可撓性スクリーン１００は、収納部６３３に収納される。
【００６０】
一方、可撓性スクリーン１００の幅方向のサイズを４８インチサイズから６４インチサイズにする場合には、収納部６３３から可撓性スクリーン１００の一部を引き出して展開する。この展開の際には、ユーザーが、スクリーンフレーム６３と６５とを互いに離間させる方向（図中矢印に示す方向）に移動させることにより、可撓性スクリーン１００が収納部６３３から展開される。
【００６１】
以上により可撓性スクリーン１００を収納、展開することによって、可撓性スクリーン１００の幅方向のサイズをユーザーの所望のサイズにことができる。
なお、この可撓性スクリーン１００のサイズを可変させるときは、一度プロジェクタ７１をフレーム６から取り外して上記の動作を行い、動作の終了後再びプロジェクタを装着する。
【００６２】
以上説明したように、本構成のユニット１０によれば、前述した構成５のユニット１０と同様の効果が得られる。
そして、このユニット１０では、フレーム６０およびスクリーン１００を用いることにより、１つのスクリーンで異なるサイズの画像を表示することができるため、派生品種を少なく抑えることができる。
【００６３】
また、スクリーンの規定のサイズ（例えば６４インチ、４８インチ等）を確認する確認手段を有していてもよい。また、脚部６８、６９の一方に設けられた凸部が他方に設けられた凹部と嵌合可能な構造にしておくことも望ましい。この場合、前記確認手段により可撓性スクリーン１００が規定のサイズに達したことを確認した後に前記凸部と凹部とを嵌合させることにより、可撓性スクリーン１００のサイズを固定する。これにより確実に、スクリーン１００の規定のサイズを保持することができる。また、規定のサイズに限られず、ユーザーの所望のサイズで可撓性スクリーン１００を固定するように構成されていてもよい。
【００６４】
また、前記実施形態では、可撓性スクリーンを巻き取ることにより、可撓性スクリーンのサイズを調節したが、それに限られず、可撓性スクリーン１００を折り畳むことにより、可撓性スクリーンのサイズを調整してもよい。
また、本実施形態では、スクリーン１００を幅方向に巻き取ることによって幅方向に画面サイズを変更し得る例を示したが、それに限られず、可撓性スクリーン１００を長さ方向に巻き取ることによって長さ方向に画面サイズを変更し得るように構成されていてもよいし、可撓性スクリーン１００を幅および長さの両方向に巻き取ることによって画面サイズを変更して得るように構成されていてもよい。
【００６５】
また、本実施形態では、手動でスクリーンを収納、展開したが、それに限られず、例えば、ユニット１０が移動手段を有していて、自動でスクリーンを収納、展開するように構成してもよい。
なお、本発明の投写型表示装置における可撓性スクリーンのサイズは前述したものに限られないのは言うまでもない。
【００６６】
以下、本発明の投写型表示装置の他の実施形態を説明する。
［第２実施形態］
図１０は、本発明の投写型表示装置の第２実施形態を示す断面図である。図１１および図１２は、図１０に記載したスクリーンの要部を示す斜視図である。
以下、第２実施形態の投写型表示装置１について、前述した第１実施形態との相違点を中心に説明し、同様の事項については、その説明を省略する。
以下、本実施形態のスクリーン３２、４８および６４について説明するがこれらのスクリーン３２、４８、６４は、表示面のサイズが異なる以外は、それらの形状や作用が略同一であるため、代表的にスクリーン３２について説明する。
【００６７】
このスクリーン３２では、背面層４１および光軸変換層４２が、単一の光導波路４５により構成される点に特徴を有する。すなわち、このスクリーン３２は、光導波路４５、光拡散層４３および前面層４４をこの順に積層して構成される。
光導波路４５は、入口部４５１から入射した光を導いて出口部４５２から出射させる部材であり、光指向性および光軸変換特性を有する。具体的には、光導波路４５は、特定方向から入射した光（投写光）のみを入口部４５１から取り込み、この光を導いて出口部４５２から所定方向に出射させる。この光導波路４５は、スクリーン３２の背面を構成しており、その入口部４５１の開口方向をミラー３１側に向けて設置される（図１０および図１１参照）。また、光導波路４５は、その中腹にて湾曲ないしは屈曲すると共に、その出口部４５２を光拡散層４３の平面に垂直に向けて配置される。光導波路４５は、例えば、屈曲ないしは湾曲した複数の光ファイバーを束ねて構成される。
【００６８】
このスクリーン３２では、投写する際にて、ミラー３１により背面側から投写光が導かれ、この投写光が光導波路４５内に入射する（図１０参照）。このとき、特定の角度にて入射した投写光のみが入口部４５１から光導波路４５内に導かれ、他の光（外光）は、入口部４５１にて反射あるいは吸収される。そして、投写光は、光導波路４５を全反射しつつ進行して出口部４５２から光拡散層４３側に出射される。そして、この投写光が光拡散層４３にて拡散されて前面層４４に入射することにより、スクリーン３２に表示画像が形成される。
【００６９】
このスクリーン３２によれば、背面層４１および光軸変換層４２が、単一の光導波路４５により構成されるので、スクリーン３２の構成が簡素となる。
なお、このスクリーン３２において、光導波路４５が複数の光ファイバーを束ねて構成される場合には（図１０および図１１参照）、これらの光ファイバー間に光吸収剤が充填されることが好ましい（図示省略）。これにより、投写光以外の外光がスクリーン３２の背面側（光導波路４５）にて効果的に遮断されるので、表示画像のコントラストがより向上する。
【００７０】
また、このスクリーン３２では、光導波路４５が出口部４５２の位置を揃えて構成されるが（図１０および図１１参照）、これに限らず、光導波路４５が出口部４５２の位置を相互に食い違わせて構成されても良い（図１２参照）。例えば、図１２に記載した光導波路４５では、出口部４５２の配列面が三段階の高さにて不揃いに配列されている。かかる構成では、投写光が光導波路４５の出口部４５２付近にて拡散される。これにより、光拡散層４３が薄型化された構成や、光拡散層４３が省略された構成（例えば、スクリーン３２が、図１２に記載する光導波路４５と前面層４４とを積層して成る構成）も可能となる（図示省略）。
なお、この第２実施形態は、他の各実施形態に適用することができる。
【００７１】
［第３実施形態］
図１３〜図１５は、本発明の投写型表示装置の第３実施形態を示す図である。図１６は、図１３〜図１５に記載したスクリーンの製造工程を示す説明図である。
以下、第３実施形態の投写型表示装置１について、前述した第１実施形態との相違点を中心に説明し、同様の事項については、その説明を省略する。
【００７２】
以下、本実施形態のスクリーン３２、４８および６４について説明するがこれらのスクリーン３２、４８、６４は、表示面のサイズが異なる以外は、それらの形状や作用が略同一であるため、代表的にスクリーン３２について説明する。
このスクリーン３２では、光拡散層４３および前面層４４が、単一のエンボス加工層４６により構成される点に特徴を有する。すなわち、このスクリーン３２は、背面層４１、光軸変換層４２およびエンボス加工層４６を積層して構成される。
【００７３】
エンボス加工層４６は、その前面にエンボス形状を有する複数の微少な凹凸部４６１（出射ピット）が形成されている（図１３〜図１５参照）。また、エンボス加工層４６の凸面（凹凸部４６１の凸面）には、ブラックストライプ４６２が形成されている。このエンボス加工層４６では、凹凸部４６１の底面（凹部の底面）が光拡散機能を有し、ブラックストライプ４６２が光吸収作用を有する。なお、ブラックストライプ４６２は、印刷等によりエンボス加工層４６の表面を黒色に着色して構成される。
【００７４】
このスクリーン３２では、投写する際にて、プロジェクタ７１からの投写光が背面層４１から入射し、光軸変換層４２を介してエンボス加工層４６に背面側から入射する。すると、投写光が、凹凸部４６１の底面にて拡散されて出射ピット（凹凸部４６１の凹み空間）から前方に出射され（図１４参照）、スクリーン３２に表示画像が形成される。また、スクリーン３２の前面から入射した外光が、エンボス加工層４６のブラックストライプ４６２にて吸収される。これにより、スクリーン３２の前面における外光の反射が抑制されて、表示画像の見易さ、コントラストが向上する。
このスクリーン３２によれば、光拡散層４３および前面層４４が、単一のエンボス加工層４６により構成されるので、スクリーン３２の構成を簡素なものとすることができる。
【００７５】
なお、このスクリーン３２では、ブラックストライプ４６２がエンボス加工層４６の凸面にのみ形成されるが、これに限らず、ブラックストライプ４６２が凹凸部４６１の凸面および内側側面（凹部の底面を除いた凹部の内側の側面）の両方に形成されていても良い（図１４参照）。これにより、スクリーン３２前面における外光の反射がより効果的に抑制されるので、表示画像の見易さがさらに向上する。
【００７６】
また、このスクリーン３２では、複数の凹凸部４６１が形成された平面状の樹脂材料Ａにより、エンボス加工層４６が構成される。具体的には、エンボス型を有するロールスタンパＲを平面状の樹脂材料Ａ上にて所定の圧力にて転がすことにより、エンボス加工層４６の凹凸部４６１が形成される（図１６参照）。かかる構成（スクリーンの製造方法）では、多数の凹凸部４６１を容易に形成することができる。
なお、この第３実施形態は、他の各実施形態に適用することができる。
【００７７】
［第４実施形態］
以下、第４実施形態の投写型表示装置１について、前述した第１実施形態との相違点を中心に説明し、同様の事項については、その説明を省略する。
第１実施形態のユニット１０では、単一のミラー３１のみが設置されている（図２および図３参照）。かかる構成では、投写の場合には、プロジェクタ７１からの投写光がミラー３１により一度反転され、さらにスクリーン３２の背面側から表示画像が形成されるので、表示画像がスクリーン３２上に左右正しく映し出される。
【００７８】
しかし、これに限らず、複数のミラー３１が設置されても良い。例えば、奇数個のミラー３１が設置された場合には、単一のミラー３１が設置された場合と同様に、左右正しい表示画像がスクリーン３２上に表示される。また、用途に応じて偶数個のミラー３１が設置された構成としても良い。また、プロジェクタ７１内の画像表示デバイスにて画像の走査方向を制御し、画像の左右反転／非反転を調整する。あるいは、表示データを表示コントローラ等のコマンドにより制御して調整してもよい。これにより、表示画像が左右正しくなるように調整される。なお、この第４実施形態は、他の各実施形態に適用することができる。
【００７９】
［第５実施形態］
以下、第５実施形態の投写型表示装置１について、前述した第１実施形態との相違点を中心に説明し、同様の事項については、その説明を省略する。
構成１〜３のユニット１０では、投写レンズは１本（１レンズ方式）である（図示省略）。かかる構成では、三原色の投写光が投写レンズに入射する段階にて合成される。このため、かかる１レンズ方式では、投写光が投写レンズ以降にて共通の光路を経てスクリーン３２、４８、６４（以下代表的にスクリーン３２で説明）に投写されるため、スクリーン３２までの投写距離が変わっても三原色の画像が互いにずれて投写されることはない。
【００８０】
これに対して、原色ごとに別個の投写レンズを設けて投写光をスクリーン上で合成する構成（３レンズ方式）が知られている。かかる構成では、三原色の投写光が投写レンズ以降にて異なる光路を経てスクリーン３２に投写されるため、スクリーン３２までの投写距離が変わると三原色の画像がずれることが知られている。このため、かかる構成では、複雑なコンバージェンス調整（三原色の画像を互いに正しく重ね合わせる調整）が必要になる。
【００８１】
この点において、構成１〜３のユニット１０では、光学ユニットが１レンズ方式を採用するので、上記のコンバージェンス調整を行う機構が不要である点で好ましい。しかし、これに限らず、公知のコンバージェンス調整の機構を設置することにより、プロジェクタ７１が３レンズ方式を採用しても良い。なお、この第５実施形態は、他の各実施形態に適用することができる。
【００８２】
［第６実施形態］
以下、第６実施形態の投写型表示装置１について、前述した第１実施形態との相違点を中心に説明し、同様の事項については、その説明を省略する。
本実施形態のユニット１０では、プロジェクタ本体２５、２６、２７（以下代表的にプロジェクタ本体２５で説明）が内部に有する液晶パネル（図示省略）の枚数に限定がない。したがって、プロジェクタ本体２５は、単一の液晶パネルのみを有しても良いし、複数枚の液晶表示パネルを有しても良い。すなわち、プロジェクタ本体２５は、例えば、単一の液晶パネルに表示されたモノクロ画像もしくはカラー画像を投写する方式を採用しても良いし、複数の表示画像を合成投写する方式を採用しても良い。これらの投写方式には、当業者自明の範囲内にて公知のものを採用できる。なお、この第６実施形態は、他の各実施形態に適用することができる。
【００８３】
［第７実施形態］
以下、第７実施形態の投写型表示装置１について、前述した第１実施形態との相違点を中心に説明し、同様の事項については、その説明を省略する。
本実施形態のユニット１０では、プロジェクタ本体２５の画像表示デバイスとして、当業者自明の範囲内にて、公知のものを採用できる。例えば、プロジェクタ本体２５の画像表示デバイスには、上記のように液晶表示パネルの画像を投写するものを採用しても良いし、ＤＭＤ（Digital Micro mirror Device）といった反射型ＭＥＭＳデバイスやＬＣＯＳ（Liquid Crystal On Silicon）、ＬＣＯＳの一種であるＤ−ＩＬＡ（Direct-Drive Image Light Amplifier）と呼ばれる反射型マイクロ液晶デバイスを拡大投写するものを採用しても良い。
さらに、レーザーとポリゴンミラーによる点順次走査や、リニアＭＥＭＳと回転ミラーによる線順次走査といった光デバイスも適用可能である。なお、この第７実施形態は、他の各実施形態に適用することができる。
【００８４】
[第８実施形態]
図１７は、本発明の投写型表示装置の実施形態を示す斜視図である。
以下、第８実施形態の投写型表示装置１について、前述した第１実施形態との相違点を中心に説明し、同様の事項については、その説明を省略する。
本実施形態のユニット１０は、図１７に示すように、ミラー３１が省略され、屈折光学ユニット２４を用いている、この屈折光学ユニット２４は、屈折光学系と、屈折光学系を支持する鏡筒とで構成されており、プロジェクタ本体２６に対して着脱可能に設けられている。
【００８５】
この屈折光学系が、本実施形態の光学ユニットを構成している。また、屈折光学ユニット２４とプロジェクタ本体２６とで本実施形態のプロジェクタが構成される。
プロジェクタ本体２６から投写した投写光は、この屈折光学系で屈折し、スクリーン３２に対して直接投写される。これにより、ミラー３１およびサブフレーム６２を必要とせず、ユニット１０の省スペース化、小型化を図ることができる。なお、この第８実施形態は、他の各実施形態に適用することができる。
【００８６】
[第９実施形態]
以下、第９実施形態の投写型表示装置１について、前述した第１実施形態との相違点を中心に説明し、同様の事項については、その説明を省略する。
本実施形態のユニット１０では、ミラー３１が省略され、投写レンズユニット２２内にミラーが一体的に設けられている。本実施形態の投写レンズユニット２２は、レンズとミラーとこれらを支持する鏡筒とで構成されている。
【００８７】
この場合は、ミラーに非球面ミラーを用いるのが好ましい。ミラーを非球面にすることにより、スクリーンに投影される画像の台形ひずみおよび焦点を好適に補正することができる。これにより、さらに省スペース化を図れる。また、ミラーを別個に設ける場合と比較して、ミラー自体の変形を防止することができる。また、サブフレーム６２を必要としないため、コストアップを最小限に抑えることができ、低コストな投写型表示装置１を提供することができる。なお、この第９実施形態は、他の各実施形態に適用することができる。
【００８８】
[第１０実施形態]
図１８は、本発明の投写型表示装置の第１０実施形態を示す斜視図である。
以下、第１０実施形態の投写型表示装置１について、前述した第１実施形態との相違点を中心に説明し、同様の事項については、その説明を省略する。
本実施形態のユニット１０では、メインフレーム６１は、着脱可能な設置台６７を有し、プロジェクタ７１が、この設置台６７に対して着脱可能に設けられる。図１８に示すように、プロジェクタ７１は、スクリーン３２に対して所定角度傾斜させた状態でスクリーン３２の下側すなわち鉛直方向下方（スクリーン３２に対して延長上）に設けられている。これによりスクリーン３２の下部のスペースを活用できるとともに、ユニット１０の小型化、特に薄型化を図ることができる。なお、この第１０実施形態は、他の各実施形態に適用することができる。
【００８９】
以上、本発明の投写型表示装置１を、図示の実施形態に基づいて説明したが、本発明はこれに限定されるものではなく、各部の構成は、同様の機能を有する任意の構成のものに置換することができる。また、本発明に、他の任意の構成物が付加されていてもよい。
また、本発明は、前記各実施形態のうちの、任意の２以上の構成（特徴）を組み合わせたものであってもよい。
【００９０】
また、本実施形態の投写型表示装置１は、スクリーン、光学ユニットおよびプロジェクタを、それぞれ複数種有しているものとして説明したが、それに限られず、例えば、これらのうちのそれぞれ１つずつを、購入時に選択するような構成であってもよい。これにより、ユーザーは、最小限の負担（低コスト）で所望のユニットを得ることができる。
また、前記実施形態では、一例として対角表示領域が、それぞれ３２インチ、４８インチ、６４インチであるスクリーン３２、４８、６４を用いたが、その対角表示領域は、特に限定されず、種々の画面サイズのスクリーンを用いることができる（光学ユニット、プロジェクタ本体についても同様）。
【００９１】
また、本発明の投写型表示装置の備えるスクリーンの種類（数）は３つに限定されず、例えば、２つまたは４つ以上でもよい。
また、本発明の投写型表示装置の備える光学ユニットおよびプロジェクタ本体の数は、それぞれ、特に限定されず、投写型表示装置が備えるスクリーンに対応し得る光学ユニットおよびプロジェクタ本体を備えていればよい。
【００９２】
また、プロジェクタ７１をフレーム６から取り外し、別個に用意した反射型スクリーンの前方側に配置することにより、プロジェクタ７１を、投写光を反射型スクリーンに投写して、表示画像をスクリーンに映し出す方式（フロント方式）での投写に用いてもよい。
また、投写レンズユニット２２および前述したズームレンズユニットは、オートフォーカス（自動焦点合わせ）機能を有していてもよい。
【図面の簡単な説明】
【００９３】
【図１】本発明の投写型表示装置の６つの構成例を示す図（表）である。
【図２】構成１を示す斜視図である。
【図３】図２におけるユニットの使用状態を示す斜視図である。
【図４】図２における投写型表示装置のスクリーンを示す断面図である。
【図５】図４に記載したスクリーンの構成要素を示す説明図である。
【図６】図４に記載したスクリーンの構成要素を示す説明図である。
【図７】構成２を示す背面図である。
【図８】構成３を示す背面図である。
【図９】構成６を示す斜視図である。
【図１０】本発明の投写型表示装置の第２実施形態を示す断面図である。
【図１１】図１０に記載したスクリーンの要部を示す斜視図である。
【図１２】図１０に記載したスクリーンの要部を示す斜視図である。
【図１３】本発明の投写型表示装置の第３実施形態を示す図である。
【図１４】本発明の投写型表示装置の第３実施形態を示す図である。
【図１５】本発明の投写型表示装置の第３実施形態を示す図である。
【図１６】図１３〜図１５のスクリーンの製造工程を示す説明図である。
【図１７】本発明の投写型表示装置の第８実施形態を示す斜視図である。
【図１８】本発明の投写型表示装置の第１０実施形態を示す斜視図である。
【図１９】従来の投写型表示装置を示す図である。
【符号の説明】
【００９４】
１……投写型表示装置  １０……ユニット  １００……可撓性スクリーン  ７１、７２、７３……プロジェクタ  ２１……出射部  ２２……投写レンズユニット  ２４……屈折光学ユニット  ２５、２６、２７……プロジェクタ本体  ２００……投写器  ２０１……折り曲げミラー  ２０２……透過型スクリーン  ２０３……キャビネット  ３１、３３、３４……ミラー  ３２、４８、６４……スクリーン  ４１……背面層  ４２……光軸変換層  ４３……光拡散層  ４４……前面層  ４５……光導波路  ４５１……入口部  ４５２……出口部  ４６……エンボス加工層  ４６１……凹凸部  ４６２……ブラックストライプ  ６、６０……フレーム  ６８、６９……脚部  ６３、６５……スクリーンフレーム  ６３１、６３２、６５１、６５２……係合部  ６６、６７……設置台  Ａ……樹脂材料  Ｒ……ロールスタンパ
【図１】
2006003717.tif 000003
【図２】
2006003717.tif 000004
【図３】
2006003717.tif 000005
【図４】
2006003717.tif 000006
【図５】
2006003717.tif 000007
【図６】
2006003717.tif 000008
【図７】
2006003717.tif 000009
【図８】
2006003717.tif 000010
【図９】
2006003717.tif 000011
【図１０】
2006003717.tif 000012
【図１１】
2006003717.tif 000013
【図１２】
2006003717.tif 000014
【図１３】
2006003717.tif 000015
【図１４】
2006003717.tif 000016
【図１５】
2006003717.tif 000017
【図１６】
2006003717.tif 000018
【図１７】
2006003717.tif 000019
【図１８】
2006003717.tif 000020
【図１９】
2006003717.tif 000021